(57)【要約】【課題】ソール側の剛性を高め、クラウン側の撓みやすさを向上したゴルフクラブヘッドを提供すること。【解決手段】本ゴルフクラブヘッドは、フェース部、クラウン部、及びソール部を有する中空構造のゴルフクラブヘッドであって、前記ソール部は、細長状の複数のリブを有し、前記複数のリブは、トウ側からヒール側に向かって順次配置された第１リブ、第２リブ、第３リブ、及び第４リブを含み、前記第１リブの一端は前記第２リブの一端と接続されて第１接続端を形成し、前記第２リブの他端は前記第３リブの一端と接続されて第２接続端を形成し、前記第３リブの他端は前記第４リブの一端と接続されて第３接続端を形成し、前記第１リブ及び前記第４リブは各々前記第２リブよりも長く、かつ前記第１リブ及び前記第４リブは各々前記第３リブよりも長い。【選択図】図２
2020092831.tif 000002
【特許請求の範囲】
【請求項１】
フェース部、クラウン部、及びソール部を有する中空構造のゴルフクラブヘッドであって、
前記ソール部は、細長状の複数のリブを有し、
前記複数のリブは、トウ側からヒール側に向かって順次配置された第１リブ、第２リブ、第３リブ、及び第４リブを含み、
前記第１リブの一端は前記第２リブの一端と接続されて第１接続端を形成し、
前記第２リブの他端は前記第３リブの一端と接続されて第２接続端を形成し、
前記第３リブの他端は前記第４リブの一端と接続されて第３接続端を形成し、
前記第１リブ及び前記第４リブは各々前記第２リブよりも長く、かつ前記第１リブ及び前記第４リブは各々前記第３リブよりも長いことを特徴とするゴルフクラブヘッド。
【請求項２】
前記第１リブは前記第１接続端に近づくにつれて高さが低くなる第１傾斜部を有し、前記第２リブは前記第１接続端に近づくにつれて高さが低くなる第２傾斜部を有し、前記第１リブの一端である前記第１傾斜部の先端と前記第２リブの一端である前記第２傾斜部の先端とが接続されて前記第１接続端を形成し、
前記第２リブは前記第２接続端に近づくにつれて高さが低くなる第３傾斜部を有し、前記第３リブは前記第２接続端に近づくにつれて高さが低くなる第４傾斜部を有し、前記第２リブの他端である前記第３傾斜部の先端と前記第３リブの一端である前記第４傾斜部の先端とが接続されて前記第２接続端を形成し、
前記第３リブは前記第３接続端に近づくにつれて高さが低くなる第５傾斜部を有し、前記第４リブは前記第３接続端に近づくにつれて高さが低くなる第６傾斜部を有し、前記第３リブの他端である前記第５傾斜部の先端と前記第４リブの一端である前記第６傾斜部の先端とが接続されて前記第３接続端を形成していることを特徴とする請求項１に記載のゴルフクラブヘッド。
【請求項３】
前記第１リブは、フェース側からバック側に伸び、バック側に行くほどヒール側に近づくように傾斜し、
前記第４リブは、フェース側からバック側に伸び、バック側に行くほどトウ側に近づくように傾斜していることを特徴とする請求項１または２に記載のゴルフクラブヘッド。
【請求項４】
前記第１リブ、前記第２リブ、前記第３リブ、及び前記第４リブは直線状であり、前記第１リブと前記第３リブは平行であり、前記第２リブと前記第４リブは平行であることを特徴とする請求項１乃至３の何れか一項に記載のゴルフクラブヘッド。
【請求項５】
前記複数のリブは、前記第２リブと第１交差部で交わる第１交差リブと、前記第３リブと第２交差部で交わる第２交差リブと、を更に有することを特徴とする請求項１乃至４の何れか一項に記載のゴルフクラブヘッド。
【請求項６】
前記第１交差部において、前記第２リブの側面と前記第１交差リブの側面とが形成する少なくとも１つの角部には、トップ側からソール側に近づくに連れて末広がりとなる第１補強部が形成され、
前記第２交差部において、前記第３リブの側面と前記第２交差リブの側面とが形成する少なくとも１つの角部には、トップ側からソール側に近づくに連れて末広がりとなる第２補強部が形成されていることを特徴とする請求項５に記載のゴルフクラブヘッド。
【請求項７】
前記第１交差リブの一端は前記第２交差リブの一端と接続されて第４接続端を形成し、
前記第４接続端は、前記第２接続端のバック側に位置することを特徴とする請求項５または６に記載のゴルフクラブヘッド。
【請求項８】
前記複数のリブは、前記第１交差部及び前記第２交差部の他にリブ同士が交差する部位を有していないことを特徴とする請求項５乃至７の何れか一項に記載のゴルフクラブヘッド。
【請求項９】
前記第１リブと前記第１交差リブは平行であり、前記第４リブと前記第２交差リブは平行であることを特徴とする請求項５乃至８の何れか一項に記載のゴルフクラブヘッド。
【請求項１０】
前記第１接続端において、前記第１リブと前記第２リブは鋭角を形成し、
前記第２接続端において、前記第２リブと前記第３リブは鋭角を形成し、
前記第３接続端において、前記第３リブと前記第４リブは鋭角を形成していることを特徴とする請求項１乃至９の何れか一項に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、打撃性能（例えば、飛距離に優位な弾道を得る等）を向上させるための様々な技術が検討されている。打撃性能を向上させる技術としては、例えば、特許文献１〜６に記載の技術が挙げられる。打撃性能を向上させるためには、クラウン側の撓みやすさを十分に考慮することが必要である。
【先行技術文献】
【特許文献】
【０００３】
【特許文献１】特許第５０９５５４６号
【特許文献２】特許第５１０７０７３号
【特許文献３】特許第４１２８９７０号
【特許文献４】特許第４２６２３６９号
【特許文献５】特許第６３４６３５１号
【特許文献６】米国特許第９７０７４５７号明細書
【発明の概要】
【発明が解決しようとする課題】
【０００４】
本発明は、ソール側の剛性を高め、クラウン側の撓みやすさを向上したゴルフクラブヘッドを提供することを目的とする。
【課題を解決するための手段】
【０００５】
本ゴルフクラブヘッドは、フェース部、クラウン部、及びソール部を有する中空構造のゴルフクラブヘッドであって、前記ソール部は、細長状の複数のリブを有し、前記複数のリブは、トウ側からヒール側に向かって順次配置された第１リブ、第２リブ、第３リブ、及び第４リブを含み、前記第１リブの一端は前記第２リブの一端と接続されて第１接続端を形成し、前記第２リブの他端は前記第３リブの一端と接続されて第２接続端を形成し、前記第３リブの他端は前記第４リブの一端と接続されて第３接続端を形成し、前記第１リブ及び前記第４リブは各々前記第２リブよりも長く、かつ前記第１リブ及び前記第４リブは各々前記第３リブよりも長いことを要件とする。
【発明の効果】
【０００６】
開示の技術によれば、ソール側の剛性を高め、クラウン側の撓みやすさを向上したゴルフクラブヘッドを提供できる。
【図面の簡単な説明】
【０００７】
【図１】本実施形態に係るゴルフクラブヘッド１を例示する図である。
【図２】リブ５０について説明する図（その１）である。
【図３】リブ５０について説明する図（その２）である。
【図４】リブ５０について説明する図（その３）である。
【図５】リブ５０について説明する図（その４）である。
【図６】リブ７０について説明する図である。
【発明を実施するための形態】
【０００８】
以下、図面を参照して、実施形態の説明を行う。なお、各図面において、同一構成部分には同一符号を付し、重複した説明を省略する場合がある。
【０００９】
〈第１実施形態〉
図１は、本実施形態に係るゴルフクラブヘッド１を例示する図であり、図１（ａ）は正面図、図１（ｂ）は上面図、図１（ｃ）は左側面図、図１（ｄ）は右側面図である。
【００１０】
図１では、フェース面１１ｆ側から視た図を正面図としており、ゴルフクラブヘッド１を水平面Ｈ（地面に相当）に基準のライ角θＬ及び基準のロフト角（図示せず）通りに接地した場合を図示している。なお、Ｊはホゼル部１５の穴の中心軸を示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１に示すゴルフクラブヘッド１は、ウッド型のゴルフクラブヘッドであって、例えばドライバであるが、ユーティリティやフェアウェイウッドであってもよい。
【００１２】
ゴルフクラブヘッド１は、例えば、チタン、チタン合金、ステンレス、アルミニウム、アルミニウム合金、鉄系金属、マグネシウム、マグネシウム合金、繊維強化樹脂等を用いて形成できる。また、ゴルフクラブヘッド１は、複数の部品を接合して組み立ててもよい。以下、ゴルフクラブヘッド１について詳説する。
【００１３】
ゴルフクラブヘッド１は、フェース部１１と、クラウン部１２と、ソール部１３と、サイド部１４と、ホゼル部１５とを有する中空構造である。なお、中空構造の内側の面を内面、外側の面を外面と称する場合がある。
【００１４】
フェース部１１は、打撃面となるフェース面１１ｆを備えた部分である。なお、フェース部１１は所定の厚みを有しており、フェース面１１ｆはフェース部１１の外面をなしている。クラウン部１２は、ゴルフクラブヘッド１の上部を形成する部分である。ソール部１３は、ゴルフクラブヘッド１の底部を形成する部分である。サイド部１４は、クラウン部１２とソール部１３とを繋ぐ部分である。ホゼル部１５は、シャフトと連結される部分である。
【００１５】
なお、図１において、点Ｑは、ゴルフクラブヘッド１を水平面Ｈに基準のライ角θＬ及び基準のロフト角通りに接地した場合に、ソール部１３が水平面Ｈと接する点を示している。
【００１６】
図２は、リブ５０について説明する図（その１）であり、ゴルフクラブヘッド１を水平面Ｈに基準のライ角及び基準のロフト角通りに接地した場合の断面図である。
【００１７】
図２（ａ）は、ゴルフクラブヘッド１を横方向に切断してトップ側からソール側を水平面Ｈに垂直な方向から視た断面図である。また、図２（ｂ）は、ゴルフクラブヘッド１を図２（ａ）のＡ−Ａ線に沿って縦方向に切断してヒール側からトウを視た断面図である。
【００１８】
また、図２（ｃ）及び図２（ｄ）は、ゴルフクラブヘッド１を横方向に切断してトップ側からソール側を視た断面図であるが、図２（ａ）が水平面Ｈに垂直な方向から視た図であるのに対し、図２（ｃ）及び図２（ｄ）は水平面Ｈに対して斜め方向から視た図である。
【００１９】
図２に示すように、ソール部１３はリブ５０を有している。リブ５０は、ソール部１３の内面に形成された第１リブ５１、第２リブ５２、第３リブ５３、第４リブ５４、第１交差リブ５５、及び第２交差リブ５６を有している。
【００２０】
リブ５０の有する各リブは、幅よりも長さの方が長い細長状のリブであり、ソール部１３の内面からクラウン部１２側に向かって略垂直に突起している。リブ５０は、更に他のリブを有してもよい。
【００２１】
図３は、リブ５０について説明する図（その２）である。図３（ａ）は、図２（ａ）から第１リブ５１、第２リブ５２、第３リブ５３、及び第４リブ５４のみを抜き出して図示したものである。図３（ｂ）は、図２（ａ）から第１交差リブ５５及び第２交差リブ５６のみを抜き出して図示したものである。図３（ｃ）は、図２（ａ）からリブ５０の全体を抜き出して図示したものである。
【００２２】
また、図３（ｄ）は、リブ５０の第１リブ５１を側面方向から視た図である。図３（ｄ）では、リブ５０の第１リブ５１のみを図示しているが、リブ５０の有する他のリブも側面方向から視た形状は第１リブ５１と大よそ同じである。
【００２３】
図４は、リブ５０について説明する図（その３）であり、図２（ｃ）からリブ５０の全体を抜き出して拡大して図示したものである。
【００２４】
図３（ａ）に示すように、第１リブ５１、第２リブ５２、第３リブ５３、及び第４リブ５４は、トウ側からヒール側に向かって順次配置されている。すなわち、第１リブ５１は、リブ５０の有するリブのうち最もトウ側に位置している。第２リブ５２は、第１リブ５１よりもヒール側に位置している。第３リブ５３は、第２リブ５２よりもヒール側に位置している。第４リブ５４は、第３リブ５３よりもヒール側に位置している。
【００２５】
第１リブ５１は、フェース側からバック側に伸び、バック側に行くほどヒール側に近づくように傾斜している直線状のリブである。第２リブ５２は、フェース側からバック側に伸び、バック側に行くほどトウ側に近づくように傾斜している直線状のリブである。第３リブ５３は、フェース側からバック側に伸び、バック側に行くほどヒール側に近づくように傾斜している直線状のリブである。第４リブ５４は、フェース側からバック側に伸び、バック側に行くほどトウ側に近づくように傾斜している直線状のリブである。
【００２６】
図２〜図４に示すように、第１リブ５１のフェース側端５１ａは、開放されている。すなわち、第１リブ５１のフェース側端５１ａは、他のリブ等とは接続されていない。第１リブ５１は、フェース側端５１ａに近づくにつれて高さが低くなる第１傾斜部５１ｃを有している。また、第１リブ５１は、バック側端５１ｂに近づくにつれて高さが低くなる第２傾斜部５１ｄを有している。また、第２リブ５２は、バック側端５２ａに近づくにつれて高さが低くなる第３傾斜部５２ｃを有している。
【００２７】
第１リブ５１の第２傾斜部５１ｄの先端であるバック側端５１ｂは、第２リブ５２の第３傾斜部５２ｃの先端であるバック側端５２ａと接続されて、第１接続端５０ａを形成している。つまり、第１リブ５１のバック側の高さが低い部分と第２リブ５２のバック側の高さが低い部分とが接続されて、第１接続端５０ａを形成している。
【００２８】
トップ側からソール側を視たときに、第１接続端５０ａにおいて、第１リブ５１と第２リブ５２は角θ１を形成している。角θ１は鋭角であることが好ましい。角θ１は、例えば、３０ｄｅｇ以上９０ｄｅｇ未満である。
【００２９】
第２リブ５２は、フェース側端５２ｂに近づくにつれて高さが低くなる第４傾斜部５２ｄを有している。また、第３リブ５３は、フェース側端５３ａに近づくにつれて高さが低くなる第５傾斜部５３ｃを有している。
【００３０】
第２リブ５２の第４傾斜部５２ｄの先端であるフェース側端５２ｂは、第３リブ５３の第５傾斜部５３ｃの先端であるフェース側端５３ａと接続されて、第２接続端５０ｂを形成している。つまり、第２リブ５２のフェース側の高さが低い部分と第３リブ５３のフェース側の高さが低い部分とが接続されて、第２接続端５０ｂを形成している。
【００３１】
トップ側からソール側を視たときに、第２接続端５０ｂにおいて、第２リブ５２と第３リブ５３は角θ２を形成している。角θ２は鋭角であることが好ましい。角θ２は、例えば、３０ｄｅｇ以上９０ｄｅｇ未満である。
【００３２】
第３リブ５３は、バック側端５３ｂに近づくにつれて高さが低くなる第６傾斜部５３ｄを有している。また、第４リブ５４は、バック側端５４ａに近づくにつれて高さが低くなる第７傾斜部５４ｃを有している。
【００３３】
第３リブ５３の第６傾斜部５３ｄの先端であるバック側端５３ｂは、第４リブ５４の第７傾斜部５４ｃの先端であるバック側端５４ａと接続されて、第３接続端５０ｃを形成している。つまり、第３リブ５３のバック側の高さが低い部分と第４リブ５４のバック側の高さが低い部分とが接続されて、第３接続端５０ｃを形成している。
【００３４】
第４リブ５４のフェース側端５４ｂは、開放されている。すなわち、第４リブ５４のフェース側端５４ｂは、他のリブ等とは接続されていない。第４リブ５４は、フェース側端５４ｂに近づくにつれて高さが低くなる第８傾斜部５４ｄを有している。
【００３５】
トップ側からソール側を視たときに、第３接続端５０ｃにおいて、第３リブ５３と第４リブ５４は角θ３を形成している。角θ３は鋭角であることが好ましい。角θ３は、例えば、３０ｄｅｇ以上９０ｄｅｇ未満である。
【００３６】
このように、リブとリブとを傾斜部の先端の高さが低い部分同士で接続することで、リブ同士の接続部に応力が集中することを緩和できる。
【００３７】
第１リブ５１、第２リブ５２、第３リブ５３、及び第４リブ５４は、例えば、フェース側から視でＭ字形となるように配置されている。但し、第１リブ５１、第２リブ５２、第３リブ５３、及び第４リブ５４は、トップ側からソール側を視たときに（図３（ａ）と同様の方向から視たときに）曲線状の部分を含んでいてもよい。
【００３８】
第１リブ５１の長さＬ１は、例えば、３０ｍｍ以上８０ｍｍ以下である。第２リブ５２の長さＬ２は、例えば、１０ｍｍ以上５０ｍｍ以下である。第３リブ５３の長さＬ３は、例えば、１０ｍｍ以上５０ｍｍ以下である。第４リブ５４の長さＬ４は、例えば、３０ｍｍ以上８０ｍｍ以下である。
【００３９】
第１リブ５１、第２リブ５２、第３リブ５３、第４リブ５４の各々の幅Ｗは、例えば、０．５ｍｍ以上３ｍｍ以下である。
【００４０】
このように、リブ５０において、第１リブ５１及び第４リブ５４は各々第２リブ５２よりも長く、かつ第１リブ５１及び第４リブ５４は各々第３リブ５３よりも長い。このような寸法関係とすることで、第１リブ５１、第２リブ５２、第３リブ５３、及び第４リブ５４をソール部１３の内面の広範囲に配置可能となり、ソール部１３の剛性を効果的に高めることができる。
【００４１】
第１リブ５１と第３リブ５３は、例えば、平行である。また、第２リブ５２と第４リブ５４は、例えば、平行である。なお、本明細書において、平行は、完全に平行である場合と、概ね平行である場合とを含む。概ね平行である場合とは、対象となるリブの対向する側面同士の間隔の最大値と最小値との差が５ｍｍ以内であることを言う。
【００４２】
図３（ｂ）に示すように、第１交差リブ５５及び第２交差リブ５６は、トウ側からヒール側に向かって順次配置されている。
【００４３】
第１交差リブ５５は、フェース側からバック側に伸び、バック側に行くほどヒール側に近づくように傾斜している直線状のリブである。第２交差リブ５６は、フェース側からバック側に伸び、バック側に行くほどトウ側に近づくように傾斜している直線状のリブである。
【００４４】
図２〜図４に示すように、第１交差リブ５５のフェース側端５５ａは、開放されている。すなわち、第１交差リブ５５のフェース側端５５ａは、他のリブ等とは接続されていない。
【００４５】
第１交差リブ５５は、フェース側端５５ａに近づくにつれて高さが低くなる第９傾斜部５５ｃを有している。また、第１交差リブ５５は、バック側端５５ｂに近づくにつれて高さが低くなる第１０傾斜部５５ｄを有している。また、第２交差リブ５６は、バック側端５６ａに近づくにつれて高さが低くなる第１１傾斜部５６ｃを有している。
【００４６】
第１交差リブ５５の第１０傾斜部５５ｄの先端であるバック側端５５ｂは、第２交差リブ５６の第１１傾斜部５６ｃの先端であるバック側端５６ａと接続されて、第４接続端５０ｄを形成している。つまり、第１交差リブ５５のバック側の高さが低い部分と第２交差リブ５６のバック側の高さが低い部分とが接続されて、第４接続端５０ｄを形成している。
【００４７】
第２交差リブ５６のフェース側端５６ｂは、開放されている。すなわち、第２交差リブ５６のフェース側端５６ｂは、他のリブ等とは接続されていない。第２交差リブ５６は、フェース側端５６ｂに近づくにつれて高さが低くなる第１２傾斜部５６ｄを有している。
【００４８】
トップ側からソール側を視たときに、第４接続端５０ｄにおいて、第１交差リブ５５と第２交差リブ５６は角θ４を形成している。角θ４は鋭角であることが好ましい。角θ４は、例えば、３０ｄｅｇ以上９０ｄｅｇ未満である。
【００４９】
このように、リブとリブとを傾斜部の先端の高さが低い部分同士で接続することで、リブ同士の接続部に応力が集中することを緩和できる。
【００５０】
第１交差リブ５５及び第２交差リブ５６は、例えば、フェース側から視で逆Ｖ字形（フェース側に開口するＶ字形）となるように配置されている。但し、第１交差リブ５５及び第２交差リブ５６は、トップ側からソール側を視たときに（図３（ａ）と同様の方向から視たときに）曲線状の部分を含んでいてもよい。
【００５１】
第１交差リブ５５は、例えば、第１リブ５１、第２リブ５２、第３リブ５３、及び第４リブ５４よりも長い。また、第２交差リブ５６は、例えば、第１リブ５１、第２リブ５２、第３リブ５３、及び第４リブ５４よりも長い。
【００５２】
第１交差リブ５５の長さＬ５は、例えば、３０ｍｍ以上９０ｍｍ以下である。第２交差リブ５６の長さＬ６は、例えば、３０ｍｍ以上９０ｍｍ以下である。
【００５３】
第１交差リブ５５及び第２交差リブ５６の幅は、例えば、第１リブ５１、第２リブ５２、第３リブ５３、第４リブ５４の各々の幅Ｗと同様である。
【００５４】
第１交差リブ５５は、第２リブ５２と第１交差部５０ｅで交わっている。第１交差リブ５５は、例えば、第２リブ５２を約２等分する。すなわち、第１交差部５０ｅから第２リブ５２のバック側端５２ａまでの長さと、第１交差部５０ｅから第２リブ５２のフェース側端５２ｂまでの長さとは、大よそ等しい。
【００５５】
また、第２交差リブ５６は、第３リブ５３と第２交差部５０ｆで交わっている。第２交差リブ５６は、例えば、第３リブ５３を約２等分する。すなわち、第２交差部５０ｆから第３リブ５３のバック側端５３ｂまでの長さと、第２交差部５０ｆから第３リブ５３のフェース側端５３ａまでの長さとは、大よそ等しい。
【００５６】
なお、リブ５０の有する複数のリブは、第１交差部５０ｅ及び第２交差部５０ｆの他にリブ同士が交差する部位を有していない。
【００５７】
第１交差リブ５５と第２交差リブ５６とが接続する第４接続端５０ｄは、第２接続端５０ｂのバック側に位置している。第１リブ５１と第１交差リブ５５は、例えば、平行である。また、第４リブ５４と第２交差リブ５６は、例えば、平行である。
【００５８】
第１交差部５０ｅにおいて、第２リブ５２の側面と第１交差リブ５５の側面とが形成する角部には、トップ側からソール側に近づくに連れて末広がりとなる第１補強部６１が形成されている。
【００５９】
第１補強部６１は、例えば、第１交差部５０ｅにおいて第２リブ５２の側面と第１交差リブ５５の側面とが形成する対向する鋭角に１つずつ形成できるが、これには限定されない。第１補強部６１は、必要に応じて、第２リブ５２の側面と第１交差リブ５５の側面とが形成する少なくとも１つの角部に形成できる。
【００６０】
第２交差部５０ｆにおいて、第３リブ５３の側面と第２交差リブ５６の側面とが形成する角部には、トップ側からソール側に近づくに連れて末広がりとなる第２補強部６２が形成されている。
【００６１】
第２補強部６２は、例えば、第２交差部５０ｆにおいて第３リブ５３の側面と第２交差リブ５６の側面とが形成する対向する鋭角に１つずつ形成できるが、これには限定されない。第２補強部６２は、必要に応じて、第３リブ５３の側面と第２交差リブ５６の側面とが形成する少なくとも１つの角部に形成できる。
【００６２】
このように、第１補強部６１及び第２補強部６２を設けることで、リブ同士の交差部に応力が集中することを緩和すると共に、ソール部１３の剛性を高めることができる。
【００６３】
図５は、リブ５０について説明する図（その４）であり、フェースセンターラインに対するリブ５０の配置を例示する図である。図５に示すフェースセンターラインＣＬは、ゴルフクラブヘッド１を水平面に基準のライ角及び基準のロフト角通りに接地した場合に、ソール部１３が水平面と接する点（図１の点Ｑ）を通る打球の飛行方向の線分である。
【００６４】
第１リブ５１とフェースセンターラインＣＬとが形成する角θ１１は、例えば、１５ｄｅｇ以上６０ｄｅｇ以下である。第２リブ５２とフェースセンターラインＣＬとが形成する角θ１２は、例えば、１５ｄｅｇ以上６０ｄｅｇ以下である。
【００６５】
第３リブ５３とフェースセンターラインＣＬとが形成する角θ１３は、例えば、１５ｄｅｇ以上６０ｄｅｇ以下である。第４リブ５４とフェースセンターラインＣＬとが形成する角θ１４は、例えば、１５ｄｅｇ以上６０ｄｅｇ以下である。
【００６６】
第１交差リブ５５とフェースセンターラインＣＬとが形成する角θ１５は、例えば、１５ｄｅｇ以上６０ｄｅｇ以下である。第２交差リブ５６とフェースセンターラインＣＬとが形成する角θ１６は、例えば、１５ｄｅｇ以上６０ｄｅｇ以下である。
【００６７】
角θ１１、角θ１２、角θ１３、角θ１４、角θ１５、及び角θ１６を上記の角度範囲とすることで、リブ５０をソール部１３の内面の広範囲に配置可能となり、ソール部１３の剛性を効果的に高めることができる。
【００６８】
このように、ゴルフクラブヘッド１において、リブ５０は、ソール部１３の内面に形成された第１リブ５１、第２リブ５２、第３リブ５３、及び第４リブ５４を有している。そして、第１リブ５１、第２リブ５２、第３リブ５３、及び第４リブ５４は、トウ側からヒール側に向かって順次配置されて、例えば、Ｍ字形となるように接続されている。そして、第１リブ５１及び第４リブ５４は各々第２リブ５２よりも長く、かつ第１リブ５１及び第４リブ５４は各々第３リブ５３よりも長い。
【００６９】
これにより、第１リブ５１、第２リブ５２、第３リブ５３、及び第４リブ５４をソール部１３の内面の広範囲に配置可能となるため、ソール部１３の剛性を効果的に高め、ボール打撃時に選択的にクラウン部１２を撓ませることができる。また、クラウン部１２の撓みやすさを向上したことで、ショット時に飛距離で優位な高打出低スピンの弾道を得ることができる。
【００７０】
また、トウ−ヒール方向、フェース−バック方向ともに、ソール部１３の広範囲の剛性を高めることができるので、ソール部１３の肉厚を減らすことが可能となる。そして、ソール部１３の肉厚を減らすことにより生じた余剰重量を、ゴルフクラブヘッド１の機能にとって有利な位置に配分できる。
【００７１】
更に、リブ５０が、第１リブ５１、第２リブ５２、第３リブ５３、及び第４リブ５４に加え、第１交差リブ５５及び第２交差リブ５６を有することで、ソール部１３の剛性を高め、クラウン部１２の撓みやすさを向上する効果を更に大きくできる。また、ソール部１３の剛性を更に高めたことでソール部１３の肉厚を更に減らすことが可能となるため、ソール部１３の肉厚を減らすことにより生じた余剰重量を、ゴルフクラブヘッド１の機能にとって有利な位置に更に多く配分できる。
【００７２】
〈第２実施形態〉
第２実施形態では、第１実施形態とは形状の異なるリブの例を示す。なお、第２実施形態において、既に説明した実施形態と同一構成部についての説明は省略する場合がある。
【００７３】
図６は、リブ７０について説明する図であり、ゴルフクラブヘッド２を水平面Ｈに基準のライ角及び基準のロフト角通りに接地した場合の断面図である。
【００７４】
図６（ａ）は、ゴルフクラブヘッド２を横方向に切断してトップ側からソール側を水平面Ｈに垂直な方向から視た断面図である。また、図６（ｂ）は、ゴルフクラブヘッド２を図６（ａ）のＢ−Ｂ線に沿って縦方向に切断してヒール側からトウを視た断面図である。
【００７５】
また、図６（ｃ）及び図６（ｄ）は、ゴルフクラブヘッド２を横方向に切断してトップ側からソール側を視た断面図であるが、図６（ａ）が水平面Ｈに垂直な方向から視た図であるのに対し、図６（ｃ）及び図６（ｄ）は水平面Ｈに対して斜め方向から視た図である。
【００７６】
図６に示すように、ゴルフクラブヘッド２は、ソール部１３がリブ７０を有する点が、ソール部１３がリブ５０を有するゴルフクラブヘッド１（図２等参照）と相違する。
【００７７】
リブ７０は、ソール部１３の内面に形成された第１リブ５１、第２リブ５２、第３リブ５３、第４リブ５４を有している。リブ７０は、リブ５０とは異なり、第１交差リブ５５及び第２交差リブ５６を有していない。
【００７８】
すなわち、リブ７０において、第１リブ５１、第２リブ５２、第３リブ５３、及び第４リブ５４は、トウ側からヒール側に向かって順次配置されて、例えば、Ｍ字形となるように接続されている。そして、第１リブ５１及び第４リブ５４は各々第２リブ５２よりも長く、かつ第１リブ５１及び第４リブ５４は各々第３リブ５３よりも長い。
【００７９】
第１リブ５１、第２リブ５２、第３リブ５３、第４リブ５４の具体的な長さや幅、配置する角度等の例は、リブ５０の場合と同様である。
【００８０】
このように、要求されるソール部１３の剛性や、余剰重量の配分の仕様によっては、ソール部１３に、第１リブ５１、第２リブ５２、第３リブ５３、第４リブ５４を有し、第１交差リブ５５及び第２交差リブ５６を有していないリブ７０を設けてもよい。
【００８１】
この場合にも、第１実施形態と同様の効果を奏する。すなわち、第１リブ５１、第２リブ５２、第３リブ５３、及び第４リブ５４をソール部１３の内面の広範囲に配置可能となるため、ソール部１３の剛性を効果的に高め、ボール打撃時に選択的にクラウン部１２を撓ませることができる。また、クラウン部１２の撓みやすさを向上したことで、ショット時に飛距離で優位な高打出低スピンの弾道を得ることができる。
【００８２】
また、トウ−ヒール方向、フェース−バック方向ともに、ソール部１３の広範囲の剛性を高めることができるので、ソール部１３の肉厚を減らすことが可能となる。そして、ソール部１３の肉厚を減らすことにより生じた余剰重量を、ゴルフクラブヘッド２の機能にとって有利な位置に配分できる。
【００８３】
以上、好ましい実施形態について詳説したが、上述した実施形態に制限されることはなく、特許請求の範囲に記載された範囲を逸脱することなく、上述した実施形態に種々の変形及び置換を加えることができる。
【００８４】
例えば、上記実施形態では、第１リブ５１のフェース側端５１ａ及び第４リブ５４のフェース側端５４ｂが開放されている例を示したが、これには限定されない。例えば、第１リブ５１のフェース側端５１ａ及び第４リブ５４のフェース側端５４ｂの一方または両方は、ゴルフクラブヘッド１の内面の何れかの部分と接続されてもよい。また、第１リブ５１のフェース側端５１ａ及び第４リブ５４のフェース側端５４ｂの一方または両方は、他とリブと接続されてもよい。第１交差リブ５５のフェース側端５５ａ、及び第２交差リブ５６のフェース側端５６ｂについても同様である。
【符号の説明】
【００８５】
１、２  ゴルフクラブヘッド
１１  フェース部
１１ｆ  フェース面
１２  クラウン部
１３  ソール部
１４  サイド部
１５  ホゼル部
５０、７０  リブ
５０ａ  第１接続端
５０ｂ  第２接続端
５０ｃ  第３接続端
５０ｄ  第４接続端
５０ｅ  第１交差部
５０ｆ  第２交差部
５１  第１リブ
５２  第２リブ
５３  第３リブ
５４  第４リブ
５５  第１交差リブ
５６  第２交差リブ
５１ａ、５２ｂ、５３ａ、５４ｂ、５５ａ、５６ｂ  フェース側端
５１ｂ、５２ａ、５３ｂ、５４ａ、５５ｂ、５６ａ  バック側端
５１ｃ  第１傾斜部
５１ｄ  第２傾斜部
５２ｃ  第３傾斜部
５２ｄ  第４傾斜部
５３ｃ  第５傾斜部
５３ｄ  第６傾斜部
５４ｃ  第７傾斜部
５４ｄ  第８傾斜部
５５ｃ  第９傾斜部
５５ｄ  第１０傾斜部
５６ｃ  第１１傾斜部
５６ｄ  第１２傾斜部
６１  第１補強部
６２  第２補強部
【図１】
2020092831.tif 000003
【図２】
2020092831.tif 000004
【図３】
2020092831.tif 000005
【図４】
2020092831.tif 000006
【図５】
2020092831.tif 000007
【図６】
2020092831.tif 000008